(57)【要約】      （修正有）【課題】真空気密に閉鎖されたランプバルブを備え、該ランプバルブが外囲部分によって包囲され、電気接続部を備えたソケットが一方側でランプバルブを支え、他方側で外囲部分を支えている形式の、ランプを改良して、簡単に組み立てることができ、自動化で製造できるようなものを提供する。【解決手段】イ）絶縁材料により製作されたソケット絶縁部１２を有し、該ソケット絶縁部が中央の孔を有し、該中央の孔内にランプバルブが結合剤なしで受容され、ロ）ソケット絶縁部が、ソケットに関連して上側に配属された平坦面を備えた、半径方向に円環状に突き出すセグメントを有し、ハ）外囲バルブ３４がソケット側で円形の開口部を有し、該開口部が、半径方向に円環状に突き出すセグメントの上側の平坦面上１４に載っており、ニ）外囲バルブ３４が結合剤２６によってソケットに固定され、ソケット絶縁部１２が、ポケットを有する側壁を備えたプラットフォームを有している。【選択図】図１
0003115450.tif 000002
【実用新案登録請求の範囲】
【請求項１】
一方側でソケットを備えた電気的なランプであって、真空気密に閉鎖されたランプバルブを備えており、該ランプバルブが外囲部分によって包囲されていて、電気接続部を備えたソケットが一方側でランプバルブを支え、他方側で外囲部分を支えている形式のものにおいて、次の構成の組み合わせ、つまり
イ）ソケットが絶縁された材料より製作されたソケット絶縁部を有しており、該ソケット絶縁部が中央の孔を有していて、該中央の孔内にランプバルブが結合剤なしで受容されており、
ロ）ソケット絶縁部が、ソケットに関連して上側に配属された平坦面を備えた、半径方向に円環状に突き出すセグメントを有しており、
ハ）外囲部分がソケット側で円形の開口部を有しており、該開口部が、半径方向に円環状に突き出すセグメントの上側の平坦面上に載っており、
ニ）外囲部分が結合剤によってソケットに固定されており、ソケット絶縁部が、側壁を備えたプラットフォームを有していて、この側壁に少なくとも１つの切欠かれたポケットが形成されている、
構成の組み合わせを特徴とする、一方側でソケットを有するランプ。
【請求項２】
複数のポケットが凹状のファセットである、請求項１記載の一方側でソケットを有するランプ。
【請求項３】
唯一のポケットが、環状の溝（４０）として側壁に形成されている、請求項１記載の一方側でソケットを有するランプ。
【請求項４】
唯一のポケットが、環状の溝（４１）として側壁に形成されていて、該溝（４１）が唯一の環状の隆起縁部（４２）を有している、請求項３記載の一方側でソケットを有するランプ。
【請求項５】
側壁が２つの区分に分けられており、前記ポケットが下側の区分に設けられている、請求項１記載の一方側でソケットを有するランプ。
【請求項６】
複数のポケットが三角形又は台形又はドーム形に成形されている、請求項１記載の一方側でソケットを有するランプ。
【請求項７】
ソケットが、少なくとも部分的にクリンピングによってソケット絶縁部に結合されているランプホルダの部分を有している、請求項１記載のランプ。
【請求項８】
外囲部分が閉鎖されたバルブであるか、又は反射器の輪郭形状を有している、請求項１記載のランプ。
【請求項９】
外囲部分がガラス又はアルミニウムより製作されている、請求項１記載のランプ。
【考案の詳細な説明】
【技術分野】
【０００１】
本考案は、一方側でソケットを備えた電気的なランプ、特に高圧ランプであって、真空気密に閉鎖されたランプバルブを備えており、該ランプバルブが外囲部分によって包囲されていて、電気接続部を備えたソケットが一方側でランプバルブを支え、他方側で外囲部分を支えている形式のものに関する。この場合、特に高圧放電ランプ、有利にはメタルハライドランプに関するものであり、また例えばハロゲン白熱ランプ関するものでもある。この場合しばしば、細長い、特にセラミック製の、ランプバルブとしての放電管球が用いられている。
【背景技術】
【０００２】
ドイツ連邦共和国特許第１４３１７２５２号明細書によれば、一方側でソケットを有する、３つのバルブより構成されたランプが公知である。外囲バルブとアウターバルブとの間に雰囲気圧が形成されている。
【０００３】
ヨーロッパ特許出願第１１０９１９９号明細書には、アウターバルブが反射器（リフレクタ）によって包囲されている、一方側でソケットを有する高圧ランプについて記載されている。ソケットはクリンピングによって反射器ネック部に直接固定されている。この場合、反射器のネック部の寸法をソケットの標準寸法に合わせる必要があるという欠点がある。
【特許文献１】ドイツ連邦共和国特許第１４３１７２５２号明細書
【特許文献２】ヨーロッパ特許出願第１１０９１９９号明細書
【考案の開示】
【考案が解決しようとする課題】
【０００４】
本考案の課題は、請求項１の上位概念部に記載した、一方側でソケットを有するランプを改良して、簡単に組み立てることができ、自動化で製造できるようなものを提供することである。
【課題を解決するための手段】
【０００５】
この課題を解決した本考案によれば、イ）ソケットが絶縁された材料より製作されたソケット絶縁部を有しており、該ソケット絶縁部が中央の孔を有していて、該中央の孔内にランプバルブが結合剤なしで受容されており、ロ）ソケット絶縁部が、ソケットに関連して上側に配属された平坦面を備えた、半径方向に円環状に突き出すセグメントを有しており、ハ）外囲部分がソケット側で円形の開口部を有しており、該開口部が、半径方向に円環状に突き出すセグメントの上側の平坦面上に載っており、ニ）外囲部分が結合剤によってソケットに固定されており、ソケット絶縁部が、側壁を備えたプラットフォームを有していて、この側壁に少なくとも１つの切欠かれたポケットが形成されている、という構成の組み合わせを特徴としている。
【０００６】
有利な実施態様は従属請求項に記載されている。
【考案の効果】
【０００７】
本考案による、一方側でソケットを有するランプは、真空気密に閉鎖されたランプバルブ、特に細長い放電管球を有しており、この放電管球は特にアウターバルブ内に収容されている。この場合ランプバルブつまり放電管球、又はアウターバルブを有する放電管球としての構造ユニットがさらに、外囲部分によって包囲されている。有利な形式で、これは例えば一般的な照明のためのセラミック製の放電管球、特にメタルハライドランプである。この場合、電気接続部を備えたソケットは、一方側でランプバルブを支え、他方側で外囲部分を支えている。電気接続部は、通常の形式で給電線に接続されており、この給電線はランプバルブの内部で照明手段との電気的な接触を形成しており、照明手段は例えば白熱ランプの照明体又は電極によって実現されている。本考案を制限することなしに、外側電極も使用することができ、又は電極なしの構造の可能である。セラミック製の放電管球の変わりに、石英ガラス又は硬質ガラスより成る放電管球を使用してもよい。アウターバルブは必ずしも必要ではない。
【０００８】
本考案によれば、次のような特徴の組み合わせが使用されるので、面倒なフレーム組み立て、ソケット絶縁部の硬化、溶融等の熱プロセスを省くことができる。
イ）ソケットが絶縁された材料より製作されたソケット絶縁部を有しており、該ソケット絶縁部が中央の孔を有していて、該中央の孔内にランプバルブが結合を用いて又は結合剤なしで受容されており、
ロ）ソケット絶縁部が、ソケットに関連して上側に配属された平坦面を備えた、半径方向に円環状に突き出すセグメントを有しており、
ハ）外囲部分がソケット側で円形の開口部を有しており、該開口部が、半径方向に円環状に突き出すセグメントの上側の平坦面上に載っており、
ニ）外囲部分が結合剤によってソケットに固定されており、ソケット絶縁部が、側壁を備えたプラットフォームを有していて、この側壁に少なくとも１つの切欠かれたポケットが形成されており、この場合、上側の段状の壁部が少なくとも１つのポケットを備えていて、このポケットが結合剤の一部を、結合剤が膨出する際に受容することができるようになっている。
【０００９】
本考案の枠内で、ポケットは、ソケットに設けられた個別の切欠又はファセットによって、或いは選択的に単数又は複数の環状の溝によって実現されている。
【００１０】
ソケットは、ソケット絶縁部の他に、ソケットに面した一般的な部分、例えばねじ込み口金又はバヨネット式口金を有している。
【００１１】
有利な形式で、ランプバルブ例えばアウターバルブ、若しくはアウターバルブが設けられていない場合には放電管球は、中央の開口内でばねクリップによって保持されている。この技術の原理は、例えばドイツ連邦共和国特許出願第１９８５６８７１号明細書に記載されている。
【００１２】
特に外囲部分の縁部及びソケット絶縁部は、協働し合う回転防止機構を備えている。
【００１３】
ポケットの構成のための簡単で、確実かつ容易に製造可能な解決策は、段付き壁部である。この段付き壁部は、一般的な円環状リングに関連して、断面図で示されているように４角形に構成されている。４角形の各ファセットは凹面である。ポケットの容積を制御でき、かつ光学的に効果的に作用する有利な構成は、２つの部分より成る壁部である。この２つの部分より成る壁部において、大きい方の下側部分（段付き壁部の高さの約６０％〜８０％）がファセットより成っていて、残りの高さが内方に傾斜している。
【００１４】
面の増大は、リング状の段付き壁部（ファセットによって増大されている）の最初の付着面に関連して有利には２０〜７０である。ファセットは、結合剤の付着面を増大すると同時に、結合剤のための膨出室を形成する。従って、ファセットの容積が可変であることも考慮に値する。ファセットの容積は、最も簡単な場合は、ファセットの最大深さによって規定され、また湾曲形状によっても規定される。
【００１５】
この寸法は、使用された結合剤に基づいている。結合剤の膨出性に基づいて、ファセットの深さは結合剤に適合させる必要がある。
【００１６】
一般的な形式で、ソケットは、少なくとも部分的に公知の形式でクリンピングによってソケット絶縁部に結合されている、ランプホルダに面する部分を有している。このランプホルダに面する部分は例えば一般的なねじ山を有している。
【００１７】
外囲部分は閉じた部分、例えばその他の、真空気密に閉じられていないアウターバルブであるか、又は反射器の輪郭を有するドーム形であってよい。
【００１８】
一般的に、水銀成分を含有するか又は含有していない、場合によっては不活性点火ガス有利には希ガスを含有している、ハロゲン白熱ランプ又はメタルハライドランプに使用される。
【考案を実施するための最良の形態】
【００１９】
以下に図示の複数の実施例を用いて本考案を具体的に説明する。
【００２０】
図１には、１実施例によるメタルハイドロランプ１が示されている。このメタルハイドロランプ１は、セラミック製の放電管球２を有しており、この放電管球２は、両側が閉じられていて、ランプ軸線方向に細長く延在して配置されている。放電管球２はアウターバルブ３によって包囲されており、このアウターバルブ３は、一方側が圧着されて（押しつぶされて）いて、硬質ガラスより成っている。短い給電路と長い給電路５，６とを有するフレーム４（断面図で概略的にのみ示されている）は、放電管球２をアウターバルブ３内で保持する。放電管球内部に配置された電極７は、給電路５，６に接続されている。これらの給電路５，６は、アウターバルブ３を閉鎖する圧着部９の領域内で、外側の給電線１０（部分的にのみ示されている）に接続されている。アウターバルブの圧着部９は、この圧着部９に合致した、セラミック又はプラスチックより成るソケット絶縁部１２の開口１１内に挿入されていて、ここでメタルクリップ３４によって保持されている。この開口１１は２つの壁部１３によって形成されているか、又は中央の環状に延びるフランジ部をくり抜いて形成されていてもよい。壁部１３は、プラットフォーム１５上に載っている。このプラットフォーム１５は、原則的には円筒形に構成されていて、側壁を有している。しかしながらプラットフォームの側壁は、滑らかつまり円環状ではなく、２つの区分に分けられている。下側の区分１６は、プラットフォームの高さの約８０％である本来の円環状を形成している。上側の区分１７は内方に向かって傾斜されていて、有利な形式で直線状に延びているか又は凸状に湾曲している。
【００２１】
重要なことは、下側の区分１６における連続的な凸状のファセット（切り子面）として構成されたポケット１８が側壁に設けられているということである。約８つのファセットが、下側の区分の円周に亘って一様に分配して配置されている。
【００２２】
プラットフォーム１５は、半径方向に突き出す円板状のセグメント２５の上側の平坦面１４を形成する面から突き出している。セグメント２５はさらに、斜めの側壁３６と下側の平坦面２７とを備えている。プラットフォーム１５は、ネック部２８上に載っており、このネック部２８は、ランプホルダに面する部分（この実施例ではねじ山を備えたねじ込み口金２９）を保持している。ねじ込み口金２９は、クリンピング若しくは圧縮によってネック部２８に固定されている。ネック部２８は内部が中空であって、この場合、給電線１０が、ネック部の中空室２３内でソケットの電気接続部２１（１つだけしけ示されていない）に接続されている。
【００２３】
アウターバルブ３を比較的大きい間隔を保って包囲している外囲バルブ３４は、ソケット側で開口３５を有しており、この開口３５は円筒形であって、この開口３５の直径は、プラットフォーム１５の外径に隙間を保って適合されている。形状及び寸法が互いに合致されている２つの部分間に、結合剤２６が嵌め込まれている。この結合剤２６は、外囲バルブ及び第１の区分１６の開口３５の領域内で平坦面１４上に設けられていて、加熱によってファセット１８内で膨出するようになっている。この結合剤２６は、選択的にファセット若しくはポケット内だけに設けられていて、外囲部分が側壁に密接して当接するようになっている。
【００２４】
図２及び図３には、ソケット絶縁部がそれぞれ９０゜回転した状態の側面図で示されている。図４は、ソケット絶縁部の横断面図を示している。図５は上から見た図である。また図６は斜視図である。
【００２５】
図７は、ソケット絶縁部の第２実施例を示しており、この第２実施例において、プラットフォーム１５の側壁１６は、真っ直ぐな円筒形として構成されている。凹状のファセット１８は、側壁の全高さに亘って延びている。
【００２６】
図８に示した別の実施例では、ファセットがプラットフォーム１５の側壁１６において３角形３７として構成されている。図９においては、ファセットが台形３８に形成されていて、図１０においては、僅かに膨出するだけの結合剤のための、側壁を切り欠いて形成された半円形状のドーム３９として形成されている。
【００２７】
寸法規定のための基準として、円環状の側壁の直径を約２５ｍｍとすることが提案されている。側壁の面全体は、一般的なケースでは７８ｍｍ２である。ファセットの一般的な面は３〜４ｍｍ２である。ファセットの一般的な数は６〜１０個である。８つのファセットが設けられている場合、具体的な実施例では、面は約３５％増大される。
【００２８】
１つの実施例は、公知であるように反射形ランプである。この場合、外囲部分は、一般的な場合アルミニウムより製作されている。
【００２９】
図１１には別の実施例が示されている。この図１１に示された実施例では、ポケットが、プラットフォーム１５の側壁１６に設けられた環状の溝４０として形成されている。
【００３０】
その他の点では、結合剤は、単数又は複数のポケット内に設けられているか、又は選択的に、側壁全体に亘って分配され、重力に基づいてポケット内に集められる。
【００３１】
図１２に示されたさらに別の実施例では、プラットフォーム１５の側壁１６に環状の溝４１として形成されたポケットは、溝が側壁の延長部内に形成されていて環状の隆起縁部４２を備えていることによって、実現されている。
【００３２】
この溝は、横断面図で見て例えばファセットとして凹状に湾曲されているか、又は断面がＵ字形、トラフ状又はＶ字形であってよい。
【図面の簡単な説明】
【００３３】
【図１】メタルハライドランプの縦断面図である。
【図２】図１に示したランプの絶縁ソケットの側面図である。
【図３】図２に示した絶縁ソケットを９０゜回転させた状態の側面図である。
【図４】図１に示したランプの絶縁ソケットの縦断面図である。
【図５】図１に示したランプの絶縁ソケットの平面図である。
【図６】図１に示したランプの絶縁ソケットの斜視図である。
【図７】絶縁ソケットの別の実施例を示す斜視図である。
【図８】絶縁ソケットの別の実施例を示す概略的な斜視図である。
【図９】絶縁ソケットの別の実施例を示す概略的な斜視図である。
【図１０】絶縁ソケットの別の実施例を示す概略的な斜視図である。
【図１１】絶縁ソケットの別の実施例を示す概略的な斜視図である。
【図１２】絶縁ソケットの別の実施例を示す断面図である。
【符号の説明】
【００３４】
１  メタルハライドランプ、  ２  放電管球、  ３  アウターバルブ、  ４  フレーム、  ５，６  給電路、  ７  電極、  ９  圧着部、  １０  給電線、  １１  開口、  １２  ソケット絶縁部、  １３  壁部、  １４  平坦面、  １５  プラットフォーム、  １６  側壁、  １７  上側の区分、  １８  ファセット、切り子面、  ２１  電気接続部、  ２３  中空室、  ２５  セグメント、  ２６  結合剤、  ２７  下側の平坦面、  ２８  ネック部、  ２９  ねじ込み口金、  ３４  外囲バルブ、  ３４′  メタルクリップ、  ３５  開口、  ３７  三角形、  ３８  台形、  ３９  ドーム形、  ４０，４１  環状の溝、  ４２  隆起縁部
【図１】
0003115450.tif 000003
【図２】
0003115450.tif 000004
【図３】
0003115450.tif 000005
【図４】
0003115450.tif 000006
【図５】
0003115450.tif 000007
【図６】
0003115450.tif 000008
【図７】
0003115450.tif 000009
【図８】
0003115450.tif 000010
【図９】
0003115450.tif 000011
【図１０】
0003115450.tif 000012
【図１１】
0003115450.tif 000013
【図１２】
0003115450.tif 000014